(57)【特許請求の範囲】
【請求項１】
含水組成物に、飽和圧力が０．２〜２．０ｋｇ／ｃｍ2−Ｇ（２５℃）となる量のチッ素を溶解させたことを特徴とするディスペンサー用組成物が、容器に充填されてなるポンプ付容器であって、
該ポンプ付容器が、ポンプと容器とからなり、
前記含水組成物が、該ポンプ付容器の容器内容積の７５〜９５％充填されてなるポンプ付容器。
【発明の詳細な説明】
【０００１】
【発明の属する技術分野】
本発明は、ディスペンサー（エアゾールは含まない）用組成物に関する。さらに詳しくは、水を含有した組成物（原液）に、特定量のチッ素を溶解させたディスペンサー用組成物に関する。
【０００２】
【従来の技術および発明が解決しようとする課題】
従来のディスペンサー製品（ポンプ製品）として、化粧水などの化粧品、ヘアトリートメントやセット剤などの頭髪用品、アイロン仕上剤や洗剤、消臭剤、抗菌剤などの家庭用品、除草剤や害虫駆除剤などの園芸用品、洗浄剤や艶出剤、コーティング剤などの車用品など多種多様のものが使用されている。
【０００３】
これらの製品は、有効成分を配合した原液を容器内に充填し、ポンプ付の蓋部材を取り付けることによって製造されている。ポンプを作動して加圧することにより、内容物が噴射される。
【０００４】
噴射される内容物は、平衡圧力がほぼ０ｋｇ／ｃｍ2−Ｇ（２５℃）であり、空気の水への溶解量は少ない（したがって、空気中の約８０容量％をしめるチッ素の水への溶解量も約１３．８ｐｐｍ（２５℃）と少ない）。そのため、霧状に噴射した場合、粒子径は大きく、粗くなる。また、原液中に界面活性剤を配合して泡状に噴射した場合には、泡は非常に大きく、破泡し易いため、塗布面で液垂れが生じやすい。
【０００５】
【課題を解決するための手段】
本発明は前記課題を解決するためになされたものであり、
含水組成物に、飽和圧力が０．２〜２．０ｋｇ／ｃｍ2−Ｇ（２５℃）となる量のチッ素を溶解させたことを特徴とするディスペンサー用組成物
に関する。
【０００６】
【発明の実施の形態】
本発明のディスペンサー用組成物は、原液である含水組成物にチッ素が飽和圧力で０．２〜２．０ｋｇ／ｃｍ2−Ｇ（２５℃）、さらには０．２〜１．０ｋｇ／ｃｍ2−Ｇ（２５℃）溶解したものである。
【０００７】
本発明では含水組成物中に特定量のチッ素が含有されているため、エアゾール用組成物ではないディスペンサー用組成物の場合にも、霧状に噴射した場合には、やや細かく、ソフトな霧にすることができ、泡状に噴射した場合には、ややクリーミーな泡となる。また、飽和圧力を０．２〜２．０ｋｇ／ｃｍ2−Ｇに保つことにより、原液が外気と接触しないため防腐性能があがる。
【０００８】
前記チッ素の飽和圧力が低すぎる場合には、チッ素の溶解量が少ないため、ソフトな霧、クリーミーな泡、防腐性能が得られない。なお、チッ素の飽和圧力が高すぎる場合には、チッ素充填圧力をかなり高くする必要があり、容器の耐圧性を高くしなければならないなどの点から好ましくない。
【０００９】
前記飽和圧力とは、チッ素ガス充填後、チッ素ガスの原液への溶解が平衡状態となったときの圧力（ゲージ圧）のことである。なお、原液の組成によって、平衡になる時間は異なるが、通常約１００時間たつと平衡になっている。
【００１０】
なお、空気の約８０容量％をしめるチッ素の水およびエタノールに対するオストワルド係数より算出した溶解度（ｐｐｍ）は、つぎのとおりである。
【００１１】
【表１】
0004365467.tif 000002
【００１２】
【表２】
0004365467.tif 000003
【００１３】
前記含水組成物としては、たとえば水を必須成分として、組成物中３０重量％（以下、％という）以上、好ましくは３５％以上、９９．９％以下、さらには９９．５％以下含有し、さらに炭素数２〜３の低級アルコール、たとえばエタノール、イソプロパノールなどを含有していてもよい。用途に応じて配合される有効成分は、好ましくは０．１〜７０％、さらには０．５〜６５％配合されたものがあげられる。
【００１４】
前記含水組成物と、水を必須成分として３０％以上含有するものを使用するのは、製品の安全性（人体への刺激性、燃焼性を抑える）のためである。水のみを媒体として含有し、低級アルコールを含有しないものを用いてもよく、この場合には、目や鼻、のどなどの粘膜に対する刺激がない点から好ましい。一方、水とともに低級アルコールが含有される場合には、乾燥性に優れる、水に不溶な有効成分を配合できる、チッ素の溶解量が多いため微細な霧が得られるなどの点から好ましい。なお、低級アルコールを使用する場合には、有効成分の含有量によっても異なるが、組成物中に３％以上、さらには５％以上含有させるのが好ましい。上限は６９．９％、さらには６４．５％である。
【００１５】
前記有効成分の具体例としては、たとえば油脂、ロウ、炭化水素油、高級脂肪酸、高級アルコール、エステル、シリコーン、界面活性剤、粉末成分、保湿剤、水溶性高分子、増粘剤、紫外線吸収剤、中和剤、ｐＨ調整剤、酸化防止剤、抗菌剤、防錆剤、香料、各種有効成分などがあげられる。
【００１６】
前記油脂としては、たとえばアボガド油、ツバキ油、タートル油、マカデミアナッツ油、トウモロコシ油、ミンク油、オリーブ油、ナタネ油、卵黄油、ゴマ油、パーシック油、小麦胚芽油、サザンカ油、ヒマシ油、アマニ油、サフラワー油、綿実油、エノ油、大豆油、落花生油、茶実油、カヤ油、コメヌカ油、シナギリ油、日本キリ油、ホホバ油、胚芽油、トリグリセリン、トリオクタン酸グリセリン、トリイソパルミチン酸グリセリンなどの液体油脂、カカオ脂、ヤシ油、馬脂、硬化ヤシ油、パーム油、牛脂、羊油、硬化牛脂、パーム核油、豚脂、牛骨脂、モクロウ核油、硬化油、牛脚脂、モクロウ、硬化ヒマシ油などの固体油脂があげられる。
【００１７】
前記ロウとしては、たとえばミツロウ、カンデリラロウ、綿ロウ、カルナウバロウ、ベイベリーロウ、イボタロウ、鯨ロウ、モンタンロウ、ヌカロウ、ラノリン、カポックロウ、酢酸ラノリン、液状ラノリン、サトウキビロウ、ラノリン脂肪酸イソプロピル、ラウリン酸ヘキシル、還元ラノリン、ジョジョバロウ、硬質ラノリン、セラックロウ、ＰＯＥラノリンアルコールエーテル、ＰＯＥラノリンアルコールアセテート、ＰＯＥコレステロールエーテル、ラノリン脂肪酸ポリエチレングリコール、ＰＯＥ水素添加ラノリンアルコールエーテルなどがあげられる。なお、前記ＰＯＥはポリオキシエチレンを表わす。
【００１８】
前記炭化水素油としては、たとえば流動パラフィン、オゾケライト、スクワレン、プリスタン、パラフィン、セレシン、スクワレン、ワセリン、マイクロクリスタリンワックスなどがあげられる。
【００１９】
前記高級脂肪酸としては、たとえばラウリン酸、ミリスチン酸、パルミチン酸、ステアリン酸、ベヘン（ベヘニン）酸、オレイン酸、１２−ヒドロキシステアリン酸、ウンデシレン酸、トール酸、イソステアリン酸、リノール酸、リノレイン酸、エイコサペンタエン酸（ＥＰＡ）、ドコサヘキサエン酸（ＤＨＡ）などがあげられる。
【００２０】
前記高級アルコールとしては、たとえばラウリルアルコール、セチルアルコール、ステアリルアルコール、ベヘニルアルコール、ミリスチルアルコール、オレイルアルコール、セトステアリルアルコールなどの直鎖アルコール、モノステアリルグリセリンエーテル（バチルアルコール）、２−デシルテトラデシノール、ラノリンアルコール、コレステロール、フィトステロール、ヘキシルドデカノール、イソステアリルアルコール、オクチルドデカノールなどの分枝鎖アルコールなどがあげられる。
【００２１】
前記エステル類としては、たとえばミリスチン酸イソプロピル、オクタン酸セチル、ミリスチン酸オクチルドデシル、パルミチン酸イソプロピル、ステアリン酸ブチル、ラウリン酸ヘキシル、ミリスチン酸ミリスチル、オレイン酸デシル、ジメチルオクタン酸ヘキシルデシル、乳酸セチル、乳酸ミリスチル、酢酸ラノリン、ステアリン酸イソセチル、イソステアリン酸イソセチル、１２−ヒドロキシステアリン酸コレステリル、ジ−２−エチルヘキシル酸エチレングリコール、ジペンタエリスリトール脂肪酸エステル、モノイソステアリン酸Ｎ−アルキルグリコール、ジカプリン酸ネオペンチルグリコール、リンゴ酸ジイソステアリル、ジ−２−ヘプチルウンデカン酸グリセリン、トリ−２−エチルヘキシル酸トリメチロールプロパン、トリイソステアリン酸トリメチロールプロパン、テトラ−２−エチルヘキシル酸ペンタンエリスリトール、トリ−２−エチルヘキシル酸グリセリン、トリイソステアリン酸トリメチロールプロパン、セチル２−エチルヘキサノエート、２−エチルヘキシルパルミテート、トリミリスチン酸グリセリン、トリ−２−ヘプチルウンデカン酸グリセライド、ヒマシ油脂肪酸メチルエステル、オレイン酸オレイル、セトステアリルアルコール、アセトグリセライド、パルミチン酸２−ヘプチルウンデシル、アジピン酸ジイソブチル、Ｎ−ラウロイル−Ｌ−グルタミン酸−２−オクチルドデシルエステル、アジピン酸ジ−２−ヘプチルウンデシル、エチルラウレート、セバチン酸ジ−２−エチルヘキシル、ミリスチン酸２−ヘキシルデシル、パルミチン酸２−ヘキシルデシル、アジピン酸２−ヘキシルデシル、セバチン酸ジイソプロピル、コハク酸２−エチルヘキシル、酢酸エチル、酢酸ブチル、酢酸アミル、クエン酸トリエチルなどの合成エステル類があげられる。
【００２２】
前記シリコーンとしては、たとえばジメチルポリシロキサン、メチルフェニルポリシロキサン、メチルハイドロジェンポリシロキサンなどの鎖状ポリシロキサン、デカメチルポリシロキサン、ドデカメチルポリシロキサン、テトラメチルテトラハイドロジェンポリシロキサンなどの環状ポリシロキサン、３次元網目構造を形成しているシリコーン樹脂、シリコーンゴムなどがあげられる。
【００２３】
前記界面活性剤としては、たとえばセッケン用素地、ラウリン酸ナトリウム、パルミチン酸ナトリウムなどの脂肪酸セッケン、ラウリル硫酸ナトリウム、ラウリル硫酸カリウムなどの高級アルキル硫酸エステル塩、ＰＯＥラウリル硫酸トリエタノールアミン、ＰＯＥラウリル硫酸ナトリウムなどのアルキルエーテル硫酸エステル塩、ラウロイルサルコシンナトリウムなどのＮ−アシルサルコシン酸、Ｎ−ミリストイル−Ｎ−メチルタウリンナトリウム、ヤシ油脂肪酸メチルタウリッドナトリウム、ラウリルメチルタウリッドナトリウムなどの高級脂肪酸アミドスルホン酸塩、ＰＯＥオレイルエーテルリン酸ナトリウム、ＰＯＥステアリルエーテルリン酸などのリン酸エステル塩、ジ−２−エチルヘキシルスルホコハク酸ナトリウム、モノラウロイルモノエタノールアミドポリオキシエチレンスルホコハク酸ナトリウム、ラウリルポリプロピレングリコールスルホコハク酸ナトリウムなどのスルホコハク酸塩、リニアドデシルベンゼンスルホン酸ナトリウム、リニアドデシルベンゼンスルホン酸トリエタノールアミン、リニアドデシルベンゼンスルホン酸ナトリウムなどのアルキルベンゼンスルホン酸塩、Ｎ−ラウロイルグルタミン酸モノナトリウム、Ｎ−ステアロイルグルタミン酸ジナトリウム、Ｎ−ミリストイル−Ｌ−グルタミン酸モノナトリウムなどのＮ−アシルグルタミン酸塩、硬化ヤシ油脂肪酸グリセリン硫酸ナトリウムなどの高級脂肪酸エステル硫酸エステル塩、ロート油などの硫酸化油、ＰＯＥアルキルエーテルカルボン酸、ＰＯＥアルキルアリルエーテルカルボン酸塩、α−オレフィンスルホン酸塩、高級脂肪酸エステルスルホン酸塩、二級アルコール硫酸エステル塩、高級脂肪酸アルキロールアミド硫酸エステル塩、ラウロイルモノエタノールアミドコハク酸ナトリウム、Ｎ−パルミトイルアスパラギン酸ジトリエタノールアミン、カゼインナトリウムなどのアニオン界面活性剤；たとえば塩化ステアリルトリメチルアンモニウム、塩化ラウリルトリメチルアンモニウムなどのアルキルトリメチルアンモニウム塩、塩化ジステアリルジメチルアンモニウムなどのジアルキルジメチルアンモニウム塩、塩化ポリ（Ｎ，Ｎ′−ジメチル−３，５−メチレンピペリジニウム）、塩化セチルピリジニウムなどのアルキルピリジニウム塩、アルキル四級アンモニウム塩、アルキルジメチルベンジルアンモニウム塩、アルキルイソキノリニウム塩、ジアルキルモルホニウム塩、ＰＯＥアルキルアミン、アルキルアミン塩、ポリアミン脂肪酸誘導体、アミルアルコール脂肪酸誘導体、塩化ベンザルコニウム、塩化ベンゼトニウムなどのカチオン界面活性剤；たとえば２−ウンデシル−Ｎ，Ｎ，Ｎ−（ヒドロキシエチルカルボキシメチル）−２−イミダゾリンナトリウム、２−ココイル−２−イミダゾリニウムヒドロキサイド−１−カルボキシエチロキシ２ナトリウム塩などのイミダゾリン系両性界面活性剤、２−ヘプタデシル−Ｎ−カルボキシメチル−Ｎ−ヒドロキシエチルイミダゾリニウムベタイン、ラウリルジメチルアミノ酢酸ベタイン、アルキルベタイン、アミドベタイン、スルホベタインなどのベタイン系界面活性剤などの両性界面活性剤；たとえばソルビタンモノオレエート、ソルビタンモノイソステアレート、ソルビタ���モノラウレート、ソルビタンモノパルミテート、ソルビタンモノステアレート、ソルビタンセスキオレエート、ソルビタントリオレエート、ペンタ−２−エチルヘキシル酸ジグリセロールソルビタン、テトラ−２−エチルヘキシル酸ジグリセロールソルビタンなどのソルビタン脂肪酸エステル類、モノ綿実油脂肪酸グリセリン、モノエルカ酸グリセリン、セスキオレイン酸グリセリン、モノステアリン酸グリセリン、α，α′−オレイン酸ピログルタミン酸グリセリン、モノステアリン酸グリセリンリンゴ酸などのグリセリンポリグリセリン脂肪酸類、モノステアリン酸プロピレングリコールなどのプロピレングリコール脂肪酸エステル類、硬化ヒシマ油誘導体、グリセリンアルキルエーテルなどの親油性非イオン界面活性剤、たとえばＰＯＥソルビタンモノオレエート、ＰＯＥ−ソルビタンモノステアレート、ＰＯＥ−ソルビタンモノオレート、ＰＯＥ−ソルビタンテトラオレエートなどのＰＯＥソルビタン脂肪酸エステル類、ＰＯＥ−ソルビットモノラウレート、ＰＯＥ−ソルビットモノオレエート、ＰＯＥ−ソルビットペンタオレエート、ＰＯＥ−ソルビットモノステアレートなどのＰＯＥソルビット脂肪酸エステル類、ＰＯＥ−グリセリンモノステアレート、ＰＯＥ−グリセリンモノイソステアレート、ＰＯＥ−グリセリントリイソステアレートなどのＰＯＥグリセリン脂肪酸エステル類、ＰＯＥモノオレエート、ＰＯＥジステアレート、ＰＯＥジオレエート、ジステアリン酸エチレングリコールなどのＰＯＥ脂肪酸エステル類、ＰＯＥラウリルエーテル、ＰＯＥオイルエーテル、ＰＯＥステアリルエーテル、ＰＯＥベヘニルエーテル、ＰＯＥ２−オクチルドデシルエーテル、ＰＯＥコレスタノールエーテルなどのＰＯＥアルキルエーテル類、ＰＯＥオクチルフェニルエーテル、ＰＯＥノニルフェニルエーテル、ＰＯＥジノニルフェニルエーテルなどのＰＯＥアルキルフェニルエーテル類、ブルロニックなどのプロアロニック型類、ＰＯＥ・ＰＯＰセチルエーテル、ＰＯＥ・ＰＯＰ２−デシルテトラデシルエーテル、ＰＯＥ・ＰＯＰモノブチルエーテル、ＰＯＥ・ＰＯＰ水添ラノリン、ＰＯＥ、ＰＯＰグリセリンエーテルなどのＰＯＥ・ＰＯＰアルキルエーテル類、テトロニックなどのテトラＰＯＥ・テトラＰＯＰエチレンジアミン縮合物類、ＰＯＥヒマシ油、ＰＯＥ硬化ヒマシ油、ＰＯＥ硬化ヒマシ油モノイソステアレート、ＰＯＥ硬化ヒマシ油トリイソステアレート、ＰＯＥ硬化ヒマシ油モノピログルタミン酸モノイソステアリン酸ジエステル、ＰＯＥ硬化ヒマシ油マレイン酸などのＰＯＥヒマシ油硬化ヒマシ油誘導体、ＰＯＥソルビットミツロウなどのＰＯＥミツロウ・ラノリン誘導体、ヤシ油脂肪酸ジエタノールアミド、ラウリン酸モノエタノールアミド、脂肪酸イソプロパノールアミドなどのアルカノールアミド、ＰＯＥプロピレングリコール脂肪酸エステル、ＰＯＥアルキルアミン、ＰＯＥ脂肪酸アミド、ショ糖脂肪酸エステル、ＰＯＥノニルフェニルホルムアルデヒド縮合物、アルキルエトキシジメチルアミンオキシド、トリオレイルリン酸など親水性非イオン界面活性剤などがあげられる。なお、前記ＰＯＰはポリオキシプロピレンを表わす。
【００２４】
前記粉末成分としては、たとえばタルク、カオリン、雲母、絹雲母（セリサイト）、白雲母、金雲母、合成雲母、紅雲母、黒雲母、リチア雲母、パーミキュライト、炭酸マグネシウム、炭酸カルシウム、ケイ酸ジルコニウム、ケイ酸アルミニウム、ケイ酸バリウム、ケイ酸カルシウム、ケイ酸亜鉛、ケイ酸マグネシウム、ケイ酸ストロンチウム、タングステン酸金属塩、マグネシウム、シリカ、ゼオライト、硫酸バリウム、焼成硫酸カルシウム（焼セッコウ）、リン酸カルシウム、弗素アパタイト、ヒドロキシアパタイト、セラミックパウダー、金属石鹸（ミリスチン酸亜鉛、パルミチン酸カルシウム、ステアリン酸アルミニウム）、チッ素ホウ素などの無機粉末、ポリアミド樹脂粉末（ナイロン粉末）、ポリエチレン粉末、ポリメタクリル酸メチル粉末、ポリスチレン粉末、スチレンとアクリル酸の共重合体樹脂粉末、ベンゾグアナミン樹脂粉末、ポリ四弗化エチレン粉末、セルロース粉末などの有機粉末、二酸化チタン、酸化亜鉛などの無機白色顔料、酸化鉄（ベンガラ）、チタン酸鉄などの無機赤色系顔料、γ−酸化鉄などの無機褐色系顔料、黄酸化鉄、黄土などの無機黄色系顔料黒酸化鉄、カーボンブラック、低次酸化チタンなどの無機黒色系顔料、マンゴバイオレット、コバルトバイオレットなどの無機紫色系顔料、酸化クロム、水酸化クロム、チタン酸コバルトなどの無機緑色系顔料、群青、紺青色などの無機青色系顔料、酸化チタンコーテッドマイカ、酸化チタンコーテッドオキシ酸化ビスマス、酸化チタンコーテッドタルク、着色酸化チタンコーテッドマイカ、オキシ塩化ビスマス、魚鱗箔などのパール顔料、アルミニウムパウダー、カッパーパウダーなどの金属粉末顔料、赤色２０１号、赤色２０２号、赤色２０４号、赤色２０５号、赤色２２０号、赤色２２６号、赤色２２８号、赤色４０５号、橙色２０３号、橙色２０４号、黄色２０５号、黄色４０１号、および青色４０４号などの有機顔料、赤色３号、赤色１０４号、赤色１０６号、赤色２２７号、赤色２３０号、赤色４０１号、赤色５０５号、橙色２０５号、黄色４号、黄色５号、黄色２０２号、黄色２０３号、緑色３号および青色１号などのジルコニウム、バリウムまたはアルミニウムレーキなどの有機顔料、クロロフィル、β−カルチンなどの天然色素などがあげられる。これらの粉末はそのまま配合してもよいが、メチルハイドロジェンポリシロキサンやシランカップリング剤などのシリコーン処理、金属石鹸処理、パーフルオロアルキルリン酸ジエタノールアミン塩やパーフルオロアルキルシランなどのフッ素処理などを疎水化処理した疎水化処理粉末を配合してもよい。
【００２５】
前記保湿剤としては、たとえばポリエチレングリコール、プロピレングリコール、グリセリン、１，３−ブチレングリコール、キシリトール、ソルビトール、マルチトール、コンドロイチン硫酸、ヒアルロン酸、ムコイチン硫酸、カロニン酸、アテロコラーゲン、コレステリル−１２−ヒドロキシステアレート、乳酸ナトリウム、胆汁酸塩、ｄｌ−ピロリドンカルボン酸塩、短鎖可溶性コラーゲン、ジグリセリン（ＥＯ）ＰＯ付加物、イサイヨバラ抽出物、セイヨウノキギリソウ抽出物、メリロート抽出物などがあげられる。
【００２６】
前記水溶性高分子としては、たとえばアラビアガム、トラガカントガム、ガラクタン、グアガム、キャロブガム、カラヤガム、カラギーナン、ペクチン、カンテン、クインスシード（マルメロ）、アルゲコロイド（カッソウエキス）、デンプン（コメ、トウモロコシ、バレイショ、コムギ）、グリチルリチン酸などの植物系高分子、キサンタンガム、デキストラン、サクシノグルカン、ブルランなどの微生物系高分子、コラーゲン、カゼイン、アルブミン、ゼラチンなどの動物系高分子などの天然水溶性高分子；たとえばカルボキシメチルデンプン、メチルヒドロキシプロピルデンプンなどのデンプン系高分子、メチルセルロース、ニトロセルロース、エチルセルロース、メチルヒドロキシプロピルセルロース、ヒドロキシエチルセルロース、セルロース硫酸ナトリウム、ヒドロキシプロピルセルロース、カルボキシメチルセルロースナトリウム（ＣＭＣ）、結晶セルロース、セルロース末などのセルロース系高分子、アルギン酸ナトリウム、アルギン酸プロピレングリコールエステルなどのアルギン酸系高分子などの半合成水溶性高分子；たとえばポリビニルアルコール、ポリビニルメチルエーテル、ポリビニルピロリドン、カルボキシビニルポリノマー（カーボポール）などのビニル系高分子、ポリエチレングリコール２０，０００、４，０００，０００、６００，０００などのポリオキシエチレン系高分子、ポリオキシエチレンポリオキシプロピレン共重合体共重合系高分子、ポリアクリル酸ナトリウム、ポリエチルアクリレート、ポリアクリルアミドなどのアクリル系高分子、ポリエチレンイミン、カチオンポリマーなどの合成水溶性高分子；たとえばベントナイト、ケイ酸ＡｌＭｇ（ビーガム）、ラポナイト、ヘクトライト、無水ケイ酸などの無機水溶性高分子などがあげられる。
【００２７】
前記増粘剤としては、たとえばアラビアガム、カラギーナン、カラヤガム、トラガカントガム、キャロブガム、クインスシード（マルメロ）、カゼイン、デキストリン、ゼラチン、ペクチン酸ナトリウム、アラギン酸ナトリウム、メチルセルロース、エチルセルロース、ＣＭＣ、ヒドロキシエチルセルロース、ヒドロキシプロピルセルロース、ＰＶＡ、ＰＶＭ、ＰＶＰ、ポリアクリル酸ナトリウム、カルボキシビニルポリマー、ローカストビーンガム、グアーガム、タマリントガム、ジアルキルジメチルアンモニウム硫酸セルロース、キサンタンガム、ケイ酸アルミニウムマグネシウム、ベントナイト、ヘクトライトなどがあげられる。
【００２８】
前記紫外線吸収剤としては、たとえばパラアミノ安息香酸などの安息香酸系紫外線吸収剤、アントラニル酸メチルなどのアントラニル酸系紫外線吸収剤、サリチル酸オクチル、サリチル酸フェニル、サリチル酸ホモメチルなどのサリチル酸系紫外線吸収剤、パラメトキシケイ皮酸イソプロピル、パラメトキシケイ皮酸オクチル、パラメトキシケイ皮酸２−エチルヘキシル、ジパラメトキシケイ皮酸モノ−２−エチルヘキサン酸グリセリル、〔４−ビス（トリメチルシロキシ）メチルシリル−３−メチルブチル〕−３，４，５−トリメトキシケイ皮酸エステルなどのケイ皮酸系紫外線吸収剤、２，４−ジヒドロキシベンゾフェノン、２−ヒドロキシ−４−メトキシベンゾフェノン、２−ヒドロキシ−４−メトキシベンゾフェノン−５−スルホン酸、２−ヒドロキシ−４−メトキシベンゾフェノン−５−スルホン酸ナトリウムなどのベンゾフェノン系紫外線吸収剤、ウロカニン酸、ウロカニン酸エチル、２−フェニル−５−メチルベンゾキサゾール、２−（２′−ヒドロキシ−５′−メチルフェニル）ベンゾトリアゾール、４−ｔｅｒｔ−ブチル−４′−メトキシベンゾイルメタンなどがあげられる。
【００２９】
前記中和剤としては、たとえば２−アミノ−２−メチル−１−プロパノール、２−アミノ−２−メチル−１，３−プロパンジオール、水酸化カリウム、水酸化ナトリウム、トリエタノールアミン、炭酸ナトリウムなど、ｐＨ調整剤としては、たとえば乳酸、クエン酸、グリコール酸、コハク酸、酒石鹸、ｄｌ−リンゴ酸、炭酸カリウム、炭酸水素ナトリウム、炭酸水素アンモニウムなど、酸化防止剤としては、たとえばアスコルビン酸、α−トコフェロール、ジブチルヒドロキシトルエン、ブチルヒドロキシアニソールなど、抗菌剤としては、たとえば安息香酸、サリチル酸、石炭酸、ソルビン酸、パラオキシ安息香酸エステル、パラクロルメタクレゾール、ヘキサクロロフェン、塩化ベンザルコニウム、塩化クロルヘキシジン、トリクロロカルバニリド、感光素、フェノキシエタノールなどがあげられる。
【００３０】
前記各種有効成分としては、たとえばビタミンＡ油、レチノール、パルミチン酸レチノール、イノシット、塩化ピリドキシン、ニコチン酸ベンジル、ニコチン酸アミド、ニコチン酸ｄｌ−α−トコフェロール、アスコルビン酸リン酸マグネシウム、ビタミンＤ2（エルゴカシフェロール）、ｄｌ−α−トコフェロール、酢酸ｄｌ−α−トコフェロール、パントテン酸、ビオチンなどのビタミン類、エストラジオール、エチニルエストラジオールなどのホルモン、アルギニン、アスパラギン酸、シスチン、システイン、メチオニン、セリン、ロイシン、トリプトファンなどのアミノ酸、アラントイン、グリチルレチン酸、アズレン酸などの抗炎症剤、アルブチンなどの美白剤、酸化亜鉛、タンニン酸などの収斂剤、Ｌ−メントール、カンフルなどの清涼剤やイオウ、塩化リゾチーム、塩酸ピリドキシン、γ−オリザノールなどの薬剤、たとえばドクダミエキス、オウバクエキス、メリロートエキス、オドリコソウエキス、カンゾウエキス、シャクヤクエキス、サボンソウエキス、ヘチマエキス、キナエキス、ユキノシタエキス、クララエキス、コウホネエキス、ウイキョウエキス、サクラソウエキス、バラエキス、ジオウエキス、レモンエキス、シコンエキス、アロエエキス、ショウブ根エキス、ユーカリエキス、スギナエキス、セージエキス、タイムエキス、茶エキス、海藻エキス、キューカンバーエキス、チョウジエキス、キイチゴエキス、メリッサエキス、ニンジンエキス、カロットエキス、マロニエエキス、モモエキス、桃葉エキス、クワエキス、ヤグルマギクエキス、ハマメリス抽出液、プラセンタエキス、胸線抽出物、シルク抽出液などの各種の抽出液があげられる。また、前記薬物は遊離の状態で使用されるほか、造塩可能なものは酸または塩基の塩の型で、またカルボン酸基を有するものはそのエステルの形で使用することができる。
【００３１】
前記有効成分を含有する含水組成物の用途（製品例）としては、たとえばセット剤、シャンプー、リンス、トリートメント剤、艶出剤、艶消剤、染毛剤、脱色剤などの頭髪用品；育毛剤、トニック剤、クレンジング剤（頭皮の油落とし）などの頭皮用品；化粧水、クレンジング剤、ボディシャンプー、保湿剤、ビタミン剤、美白剤、プレ（アフター）シェーブローション、収斂剤、日焼止め、消炎鎮痛剤、殺菌剤、水虫薬、消臭剤、制汗剤、香水、忌避剤などの皮膚用品；口中清涼剤などの口腔用、点鼻薬、点耳薬などの粘膜用品；前記人体用品以外にも、殺虫剤、消臭剤、芳香剤、ガラスクリーナー、撥水剤、艶出剤などの家庭・自動車用品；潤滑剤、錆止め、接着剤、離型剤などの工業用品などがあげられる。
【００３２】
本発明のディスペンサー用組成物は、水および必要により使用される低級アルコールを含有するものと前記有効成分とからなる含水組成物（原液）を容器内に充填する。ついで、チッ素を、たとえば
▲１▼ポンプ付蓋部材の取付時、容器開口部と蓋部材の隙間から充填する方法
▲２▼ピストン先端部から充填する方法
などの方法により充填する。
【００３３】
チッ素充填直後（チッ素が原液に溶解していない状態）の圧力は０．３〜３．０ｋｇ・ｃｍ2−Ｇであり、チッ素の溶解を平衡状態にすることで本発明の組成物を得ることができる。このときの平衡圧力（飽和圧力）は０．２〜２．０ｋｇｃｍ2−Ｇ（２５℃）である。
【００３４】
なお、原液組成、容器への原液充填率、チッ素ガス充填直後の圧力および平衡圧力（１００時間後）の関係を表３に示す。
【００３５】
【表３】
0004365467.tif 000004
【００３６】
なお、容器内に充填され、所定の圧力にチッ素が充填された本発明のディスペンサー用組成物の使用開始後は、ポンプを作動して空気を充填することによって蓄圧されるため、圧力はチッ素圧と空気圧との和になるが、この場合も飽和圧力が０．２〜２．０ｋｇ／ｃｍ2−Ｇである場合には、本発明のディスペンサー用組成物に含まれるものとして取り扱う。
【００３７】
前記容器に充填される含水組成物の量は、容器内容積の７５〜９５％、さらには８０〜９５％であるのが好ましい。充填量が少なすぎる場合には、製品外観上満足できるものではなくなる（量不足になる）傾向にあり、多すぎる場合には、チッ素を充填する容積が少なすぎ、必要量チッ素を充填すると圧力が高くなりすぎ、好ましくない。
【００３８】
前記容器としては、たとえば図１に示されるポンプ付容器１があげられる。
【００３９】
容器本体はアルミやブリキなどの金属、ポリエチレンテレフタレート、ポリプロピレン、ポリエチレン、ジュラコン、ポリアミドなどの樹脂、ガラスなどから製造される。
【００４０】
ポンプの構造はとくに限定されないが、たとえば図１に示されるポンプ付容器１において、ポンプ２は筒状のハウジング３と、その内部を昇降するピストン軸４と、そのピストン軸４内に駆動自在に収容された内軸５と、その内軸５を常時上方に付勢するバネ６とを備えている。ピストン軸４の上端には、組成物を噴射するためのボタン７が取り付けられている。ハウジング３の上端にはフランジ８が設けられ、その下面には容器本体の上端とのあいだでシール作用を奏するリング状のガスケット９が設けられている。さらにフランジ８と蓋１０とのあいだには、両者のあいだをシールするシーリング１１が介在している。ハウジング３の上部近辺には、その内外を連通する横穴１２が形成されており、下端には、ディップチューブ１３が連結されている。ピストン軸４の内面と内軸５とのあいだはシールされておらず、内容物の通路となる。内軸５の上端部にはテーパー面１４が設けられ、ピストン軸４の段部１５と係合したときはシール作用を奏する。
【００４１】
前記ポンプ２では、ボタン７を押し下げるとピストン軸４と内軸５とが一緒に下降する。ついでボタン７を離すと、バネ６により内軸５およびピストン軸４が上昇し、逆止弁１６が通す方向にあるので、ディップチューブ１３を通してハウジング３内に内容物を吸い上げる。そのとき蓋１０とピストン軸４との隙間から容器内に外部の空気が入る。さらにボタン７を押し下げると、第一ピストン１７と第二ピストン１８とのあいだの筒状の空間の容積が小さくなり、逆止弁１６が流さない方向にあるので、その空間の内圧が上昇する。そして、その内圧による内軸５を下降させる力がバネ６の付勢力を上回ったとき、内軸５がピストン軸４に対して相対的に下降する。それによりテーパー面１４のシール部が開き、内容物はピストン軸４と内軸５との隙間およびシール部を通って、ボタン７の噴霧孔から噴射される。
【００４２】
本発明で好適に用いられるポンプは、前述のとおり、未使用時はバネ６の付勢力により内軸のテーパー面１４とピストン軸の段部１５が係合しているので、製品内は密封されている。それゆえ、原液の含水組成物には０．２〜２．０ｋｇ／ｃｍ2−Ｇの圧力がかけられ、本発明のディスペンサー用組成物には従来よりも多くのチッ素が溶解しているため、霧状に噴射した場合には、やや細かく、ソフトな霧にすることができ、泡状に噴射した場合には、ややクリーミーな泡にすることができる。
【００４３】
なお、図１中の１９は液面を表わす。
【００４４】
図２に、本発明に用いる別のポンプ２０を用いた樹脂製のポンプ付容器２１を示す。
【００４５】
図２に示す樹脂製のポンプ付容器２１は、内圧によりややふくれた状態になっている。
【００４６】
【実施例】
つぎに、本発明のディスペンサー用組成物を実施例に基づいてさらに詳細に説明するが、本発明はこれらに限定されるものではない。
【００４７】
実施例１〜８および比較例１〜８
樹脂製容器に下記の原液を充填、ポンプ付きの蓋体を取り付け、ピストン軸先端よりチッ素ガスを充填した（原液充填率９０容量％）。
【００４８】
チッ素充填圧力および１００時間放置後の平衡圧力（２５℃）を測定したのち、噴射を行ない、噴射状態を観察した。結果を表４に示す。
【００４９】
なお、実施例と同じ処方で、チッ素ガスを溶解させていないもの（チッ素ガスを加圧充填していないもの）を比較例とした。噴射はポンプで加圧することにより行ない、噴射状態を観察した。
【００５０】
１．頭髪用セット剤
アクリル酸アルキル共重合体エマルジョン              ３．０
２−アミノ−２−メチル−１−プロパノール            ０．４
香  料                                              ０．２
精製水                                              ９６．４    
合  計                                            １００．０％
２．ヘアリキッド
ポリオキシプロピレン（４０）ブチルエーテル          １５．０
ポリオキシエチレン硬化ヒマシ油                        １．０
プロピレングリコール                                  ３．０
パラアミノ安息香酸エチル                              ０．１
香  料                                                ０．２
９５％変性エタノール                                ４５．０
精製水                                              ３５．７    
合  計                                            １００．０％
３．シャンプー
ＰＯＥアルキルエーテル硫酸トリエタノールアミン      ３０．０
（３０％水溶液）
α−オレフィンスルフォン酸ナトリウム                １０．０
（３０％水溶液）
ラウリルジメチルアミノ酢酸ベタイン                    ４．０
ヤシ油脂肪酸ジエタノールアミド                        ３．０
プロピレングリコール                                  ２．０
メチルパラベン                                        ０．１
香  料                                                ０．２
精製水                                              ５０．７    
合  計                                            １００．０％
４．リンス
塩化ステアリルトリメチルアンモニウム                  ３．０
シリコーン油                                          ２．０
流動パラフィン                                        １．０
セチルアルコール                                      ２．０
グリセリン                                            ３．０
メチルパラベン                                        ０．２
香  料                                                ０．２
精製水                                              ８８．６    
合  計                                            １００．０％
５．収れん化粧水
プロピレングリコール                                  １．０
グリセリン                                            １．０
ＰＯＥ（２０）オレイルアルコールエーテル              １．０
酸化亜鉛                                              ０．１
クエン酸                                              ０．１
香  料                                                ０．２
メチルパラベン                                        ０．１
９５％変性エタノール                                １５．０
精製水                                              ８１．５    
１００．０％
６．クレンジングローション
流動パラフィン                                      ３０．０
グリセリン                                            ５．０
ポリエチレングリコール４００                          ５．０
ソルビタンモノオレイン酸エステル                      １．５
ＰＯＥ（２０）オレイルアルコールエーテル              ２．５
カルボキシビニルポリマー（０．５％水溶液）          ２０．０
トリエタノールアミン                                  ０．１
メチルパラベン                                        ０．１
ブチルパラベン                                        ０．１
香  料                                                ０．２
精製水                                              ３５．５    
合  計                                            １００．０％
７．ガラス洗浄剤
オレンジオイル                                        ５．０
ＰＯＥ（１０）ノニルフェニルエーテル                  ２．０
ジエタノールアミン                                    １．５
メチルパラベン                                        ０．２
精製水                                              ９１．３    
合  計                                            １００．０％
８．トイレ洗浄剤
α−オレフィンスルホン酸ナトリウム                    ２．０
アルキルジメチルアミノ酢酸ベタイン                    １．５
ジエタノールアミン                                    ０．３
香  料                                                ０．２
メチルパラベン                                        ０．２
精製水                                              ９５．８    
合  計                                            １００．０％
【００５１】
【表４】
0004365467.tif 000005
【００５２】
【発明の効果】
含水組成物に、飽和圧力が０．２〜２．０ｋｇ／ｃｍ2−Ｇ（２５℃）となる量のチッ素を溶解させたディスペンサー用組成物にすることによって、霧状に噴射した場合には、やや細かく、ソフトな霧にすることができ、泡状に噴射した場合には、ややクリーミーな泡にすることができる。また、組成物の防腐性能が向上する。
【図面の簡単な説明】
【図１】本発明のディスペンサー用組成物を充填するポンプ付容器の一例を示す説明図である。
【図２】本発明のディスペンサー用組成物を充填する樹脂製のポンプ付容器の一例を示す説明図である。
【符号の説明】
１  ポンプ付容器
２  ポンプ
３  ハウジング
４  ピストン軸
５  内軸
６  バネ
７  ボタン
８  フランジ
９  ガスケット
１０  蓋
１１  シーリング
１２  横穴
１３  ディップチューブ
１４  テーパー面
１５  段部
１６  逆止弁
１７  第一ピストン
１８  第二ピストン
１９  液面
２０  別のポンプ
２１  樹脂製のポンプ付容器
【図１】
0004365467.tif 000006
【図２】
0004365467.tif 000007